(57)【要約】      （修正有）【課題】従来のコネクタでは、キャビティ穴の延設方向と端子の挿入方向とが一致しないと、端子をキャビティ穴内にスムーズに挿入できなかった。【解決手段】端子取付構造は、インサート端子１をキャビティ穴４２に挿通させてハウジング４に取り付けて構成されている。ハウジング４は、端子本体２の挿入方向に沿ってキャビティ穴４２の内周面に延びた溝４３を備えている。インサート端子１が備えるインサート成型部３は、端子本体２に固定された本体３１と、本体３１から延びた一対の係止用アーム３２と、端子本体２の挿入方向に沿って本体３１に形成された案内部材３３とを備えている。係止用アーム３２は、本体３１を挟んでキャビティ穴４２内を延びてキャビティ穴４２の内周面に弾接し、ハウジング４に係止する。案内部材３３は、溝４３内に配置されて溝４３の内周面に弾接することで端子本体２の挿入方向を案内する。【選択図】図１
2011171101.tif 000002
【特許請求の範囲】
【請求項１】
ハウジングが備えるキャビティ穴内に端子を挿入して取り付ける端子取付構造であって、
前記端子は、導電性を有する端子本体と、係止用アーム及び案内部材を有して前記端子本体に固定されたインサート成型部とを備え、
前記ハウジングは、前記キャビティ穴内に挿入された前記係止用アームが係止する係止面と、前記キャビティ穴内で前記案内部材を案内する案内溝とを備えていることを特徴とする端子取付構造。
【請求項２】
前記係止用アームは、前記インサート成型部の本体の両側に形成されており、前記本体の両側に沿って前記端子本体の延伸方向に延びていることを特徴とする請求項１に記載の端子取付構造。
【請求項３】
前記案内部材は、前記案内溝の内周面に弾接することで前記キャビティ穴内を案内されることを特徴とする請求項１又は２に記載の端子取付構造。
【請求項４】
前記案内部材は、前記本体から延びて互いの間に間隙を設けて配置された一対の案内板から構成されていることを特徴とする請求項２に記載の端子取付構造。
【発明の詳細な説明】
【技術分野】
【０００１】
本発明は、ハウジングが備えるキャビティ穴内に端子を挿入して取り付ける端子取付構造に関する。
【背景技術】
【０００２】
コネクタでは、ハウジングが備えるキャビティ穴を通してキャビティ内に端子が取り付けられている。下記の特許文献１では、箱形のハウジングの側壁に形成されたキャビティ穴を通して、コンタクト（端子）の接触部をハウジング内に配置している。
【０００３】
また、下記の特許文献２では、雌型端子の外周部を覆うようにして樹脂製のモールド部材を設け、モールド部材の突起部材をハウジングがキャビティ穴に備える凹部に係合させることで、端子がハウジングに取り付けられている。
【先行技術文献】
【特許文献】
【０００４】
【特許文献１】特開２０００−２０８１８９号公報
【特許文献２】特開２０００−１３３３５７号公報
【発明の概要】
【発明が解決しようとする課題】
【０００５】
この種のコネクタでは、キャビティ穴の延設方向と端子の挿入方向とが一致しないと、キャビティ穴の内周面と端子との接触で端子をキャビティ穴内にスムーズに挿入することができなかった。
【０００６】
本発明は斯かる課題に鑑みてなされたもので、上記課題を解決することのできる端子取付構造を提供することを目的とする。
【課題を解決するための手段】
【０００７】
このような目的を達成するために、本発明の端子取付構造は、ハウジングが備えるキャビティ穴内に端子を挿入して取り付ける端子取付構造であって、前記端子が、導電性を有する端子本体と、係止用アーム及び案内部材を有して前記端子本体に固定されたインサート成型部とを備え、前記ハウジングが、前記キャビティ穴内に挿入された前記係止用アームが係止する係止面と、前記キャビティ穴内で前記案内部材を案内する案内溝とを備えていることを特徴とする。
また、本発明は、前記係止用アームが、前記インサート成型部の本体の両側に形成されており、前記本体の両側に沿って前記端子本体の延伸方向に延びていることを特徴とする。
また、本発明は、前記案内部材が、前記案内溝の内周面に弾接することで前記キャビティ穴内を案内されることを特徴とする。
また、本発明は、前記案内部材が、前記本体から延びて互いの間に間隙を設けて配置された一対の案内板から構成されていることを特徴とする。
【発明の効果】
【０００８】
本発明によれば、キャビティ穴の延設方向に対する端子の挿入方向のずれを抑えて、キャビティ穴内に端子をスムーズに挿入することができる。
【図面の簡単な説明】
【０００９】
【図１】本発明の一実施形態のインサート端子及びハウジングを示す図であり、（ａ）はインサート端子の斜視図，（ｂ）はハウジングの後壁を部分的に示す斜視図である。
【図２】（ａ）は図１の端子本体を示す斜視図，（ｂ）はインサート成型部を示す斜視図である。
【図３】図１の後壁を示す図であり、（ａ）は正面図，（ｂ）は（ａ）のＡ−Ａ矢視断面図である。
【図４】ハウジングに対するインサート端子の取付方法を示す図である。
【図５】ハウジングのキャビティ穴に挿入されたインサート端子を図３のＡ−Ａ矢視断面で示す図である。
【図６】ハウジングのキャビティ穴に挿入されたインサート端子を示す図であり、（ａ）は図３のＢ−Ｂ矢視断面図，（ｂ）は枠Ｃ内の拡大図である。
【発明を実施するための形態】
【００１０】
以下、図面を参照して、本発明の一実施形態を説明する。
図１は、本実施形態のインサート端子１及びハウジング４を示す図である。図２はインサート端子１を構成する端子本体２及びインサート成型部３を別個に示した斜視図である。図３は、ハウジング４の後壁４１を示す図である。なお、以下の説明で用いる上下，前後，左右の各方向は説明に用いる各図に示している。この上下は説明のために記載したもので、実際の配置と異なってよいことはもちろんである。
【００１１】
本実施形態の端子取付構造は、図１（ａ）に示すインサート端子１を図１（ｂ）に示すハウジング４のキャビティ穴４２に挿通させ、ハウジング４にインサート端子１を取り付けて構成される。
【００１２】
図１（ａ）に示すように、インサート端子１は、端子本体２にインサート成形でインサート成型部３を設けて構成されている。図２（ａ）に示すように、端子本体２は、前後の端部にテーパ部２ａを備えた金属製の四角棒状体から構成されている。端子本体２の前後方向の中央部には、端子本体２の上下及び左右の角部を窪ませて構成された定着部２１が備えられている。定着部２１は、インサート成型部３の前後方向への移動を規制して、インサート成型部３を端子本体２に定着させるためのものである。
【００１３】
図２（ｂ）に示すように、インサート成型部３は、端子本体２の定着部２１の形成箇所を覆って前後方向に延びた四角ブロック状の本体３１と、本体３１の左右の側面に突設された一対の係止用アーム３２と、本体３１の上下の側面に形成された一対の案内部材３３とを備えている。インサート成型部３は、端子本体２の先端部分が突出するように、端子本体２に固定される。
【００１４】
係止用アーム３２は、本体３１の左右の側面の上下方向の中央部に突設されている。係止用アーム３２は、本体３１の左右の側面の前端部から左右の側方に延びた後に後方に屈曲し、本体３１の左右の側面に沿って後方に延びている。係止用アーム３２の後端部の左側又は右側の外面には、係止突起３２ａが突設されている。係止突起３２ａの後端面は、後端から前端側にかけて外側に向けて傾斜した傾斜面となっている。
【００１５】
案内部材３３は、本体３１の上下の側面の左右方向の中央部から上下の側方に延びた一対の案内板３３ａから構成されている。両案内板３３ａは、本体３１の上下の側面の前端から後端にかけて矩形の平板状を呈して延びており、互いの主面の間に間隙を設けて平行に並んで配置されている。案内板３３ａの先端部は、先端側にかけて徐々に肉薄となるように構成されている。
【００１６】
図３に示すように、ハウジング４は、後壁４１の前面に開口したキャビティ穴４２を備えている。キャビティ穴４２は、方形の開口形状を有して後壁４１の前端から後端部にまで延びている。キャビティ穴４２の後端部には、後壁４１の前側と後側とを隔てる隔壁４２ａが設けられている。
【００１７】
隔壁４２ａの左右の端部には、一対の連通部４４が設けられている。両連通部４４は、隔壁４２ａの上下方向の中央部に設けられており、方形の開口形状を有して隔壁４２ａを前後方向に貫通している。連通部４４には、インサート端子１の係止用アーム３２が挿通される。連通部４４の後端開口部の周縁に位置する後壁４１の裏面は、係止用アーム３２の係止突起３２ａが係止される係止面となっている。両連通部４４の間に位置する隔壁４２ａの中央部には、方形の開口形状を有して隔壁４２ａを前後方向に貫通した挿通部４５が設けられている。挿通部４５には、インサート端子１の端子本体２が挿通される。
【００１８】
キャビティ穴４２の上下の内側面には、キャビティ穴４２の前端開口部から隔壁４２ａにかけて延びた案内溝４３が設けられている。案内溝４３は、矩形の開口形状を有しており、キャビティ穴４２の上下の内側面の左右方向の中央部に位置している。案内溝４３は、キャビティ穴４２に対するインサート端子１の挿入方向に沿って、前後方向に延びている。
【００１９】
インサート端子１は、図４（ａ）に示すように、係止用アーム３２の延出方向を向いた端子本体２の後端をキャビティ穴４２の前端開口部と向き合わせて、図４（ｂ）に示すようにキャビティ穴４２内に挿入され、図４（ｃ）に示すようにインサート成型部３がキャビティ穴４２内に没入するまで嵌め合わされて、端子本体２の前端部分（先端部分）が突出するようにハウジング４に取り付けられる。
【００２０】
キャビティ穴４２内に挿入されたインサート端子１は、図５（ａ）に示すように、端子本体２を挿通部４５に挿通させて後壁４１の後方まで延出させ、図５（ａ），図６（ａ）に示すように、係止用アーム３２の係止突起３２ａをキャビティ穴４２の左右の内側面に弾接させて本体３１側に撓ませている。また、図６（ｂ）に拡大して示すように、両案内板３３ａの左側面又は右側面を案内溝４３の左右の内側面に弾接させて、案内板３３ａ同士が近接する方向に両案内板３３ａを撓ませている。
【００２１】
このように、係止突起３２ａがキャビティ穴４２の内側面に、案内板３３ａが案内溝４３の内側面にそれぞれ弾接することで、インサート成型部３を備えたインサート端子１は、キャビティ穴４２内に弾性支持されて左右及び上下方向の位置決めをされながら、後方に向けてキャビティ穴４２内を移動する。
【００２２】
その後、本体３１が前端までキャビティ穴４２内に没入するまでインサート端子１が案内溝４３内に挿入されると、図５（ｂ）に示すように、本体３１の後面がキャビティ穴４２内の隔壁４２ａに当接してインサート端子１の後方への移動が規制され、インサート成型部３がキャビティ穴４２に嵌め合わされる。係止用アーム３２は、キャビティ穴４２から連通部４４を通して後壁４１の後方にまで移動した係止突起３２ａが、連通部４４の周縁に位置する後壁４１の後面に係止され、キャビティ穴４２の左右の内側面に左右の外面を密着させている。
【００２３】
案内溝４３内へのインサート端子１の挿入時に、キャビティ穴４２の延設方向とインサート端子１の挿入方向とが一致しないと、左右の一方の案内板３３ａの前端側が案内溝４３の左右の一方の側壁に押し付けられると共に、他方の案内板３３ａの後端側が案内溝４３の他方の側壁に押し付けられる。これにより、両案内板３３ａが撓み、キャビティ穴４２の延設方向に対するインサート端子１の挿入方向のずれを抑える方向に弾発力を働かせる。
【００２４】
本実施形態によれば、本体３１の左右の側面に突設された一対の係止用アーム３２がキャビティ穴４２の内周面に弾接することで、キャビティ穴４２内に挿入されたインサート成型部３がキャビティ穴４２内に弾性支持され、係止用アーム３２の係止突起３２ａが連通部４４の周縁に係止されることで、インサート端子１がハウジング４に取り付けられることから、キャビティ穴４２の延設方向に対するインサート端子１の挿入方向のずれを抑えて、キャビティ穴４２内にインサート端子１をスムーズに挿入することが可能となる。
【００２５】
また、案内溝４３内に挿入された案内部材３３の案内板３３ａが案内溝４３の左右の内側壁に弾接することで、インサート成型部３の挿入方向が案内溝４３の延設方向と一致するようにインサート成型部３が案内されることから、キャビティ穴４２の延設方向に対するインサート端子１の挿入方向のずれをより確実に抑えて、キャビティ穴４２内にインサート端子１をスムーズに挿入することが可能となる。
【００２６】
この結果、キャビティ穴４２内に挿入する際にインサート端子１が削れられて糸バリが発生し、ショート等の不具合が生じるのを防止できる。また、係止用アーム３２をハウジング４に係止させて、キャビティ穴４２からのインサート端子１の抜けを防止しているので、ハウジング４に対する係止用アーム３２の係止を解くことでインサート端子１をキャビティ穴４２から容易に抜き出すことができ、ハウジング４やインサート端子１に異常があった場合の組み付け直しやインサート端子１の再利用も可能となる。
【００２７】
また、係止用アーム３２及び案内部材３３でキャビティ穴４２内にインサート端子１がに弾性支持されていることから、インサート端子１を相手側の端子と接続する際にインサート端子１が揺動するので、インサート端子１と相手側の端子との間の調芯・アライメント機能をインサート端子１に持たせることができる。
【００２８】
なお、上記実施形態では、案内部材３３の両案内板３３ａが案内溝４３の左右の内側壁に常時弾接する構成を有している場合について説明した。しかしながら、インサート端子１の挿入方向がキャビティ穴４２の延設方向と一致しない場合にのみ、両案内板３３ａが案内溝４３の左右の内側壁に弾接するように構成してもよい。
【００２９】
また、上記実施形態では、本体３１の上下の側面に案内部材３３が備えられている場合について説明したが、何れか一方の側面のみに案内部材３３が備えられていてもよい。また、係止用アーム３２及び案内部材３３の形成位置は、本体３１の左右の側面には限定されず、上下の側面に設けられていてもよい。また、上下及び左右の４つの側面に設けられていてもよい。また、上記実施形態では、インサート成型部３の本体３１が四角ブロック状を呈している場合について説明したが、本体３１の形状は任意である。
【００３０】
また、キャビティ穴４２の開口形状も任意であり、前端から後端にかけて同じ開口形状を有して延びて隔壁４２ａを備えず、ハウジング４に対する係止用アーム３２の係止で後方へのインサート端子１の移動も規制する構成としてもよい。また、係止用アーム３２の係止突起３２ａを係止する係止面は、後壁４１の後面に限定されず、キャビティ穴４２内に設けてもよい。また、係止用アーム３２は、本体３１の側面と平行に延びている必要はなく、後端側にかけて外側に向けて広がるように延びていていもよい。
【００３１】
また、上記実施形態では、一対の案内板３３ａで案内部材３３が構成されている場合について説明した。しかしながら、案内溝４３の内周面に弾接することでインサート端子１の挿入方向を案内できるのであれば、案内部材３３の構成は任意である。
【符号の説明】
【００３２】
１            インサート端子
２            端子
２ａ          テーパ部
２１          定着部
３            弾性支持部材
３１          本体
３２          係止アーム
３２ａ        係止突起
３３          案内部材
３３ａ        案内板
４            ハウジング
４１          後壁
４２          キャビティ穴
４２ａ        隔壁
４３          案内溝
４４          連通部
４５          挿通部
【図１】
2011171101.tif 000003
【図２】
2011171101.tif 000004
【図３】
2011171101.tif 000005
【図４】
2011171101.tif 000006
【図５】
2011171101.tif 000007
【図６】
2011171101.tif 000008